(57)【要約】【課題】設置面に取り付けられるベースの長さの調整を簡単に行うことができる、配管カバーを提供する。【解決手段】本発明に係る配管カバー（１）は、設置面に沿って配される配管（２）を覆う配管カバーである。配管カバー（１）は、設置面に取り付けられるベースユニット（３）と、配管（２）を覆うようにベースユニット（３）に取り付けられるカバー部材（４）とを備える。ベースユニット（３）は、一方向に並ぶ複数のベース部材（５）を含む。複数のベース部材（５）のそれぞれは、隣接する他のベース部材（５）と連結するための連結構造を有している。【選択図】図１
2017219140.tif 000002
【特許請求の範囲】
【請求項１】
設置面に沿って配される配管を覆う配管カバーであって、
前記設置面に取り付けられるベースユニットと、
前記配管を覆うように前記ベースユニットに取り付けられるカバー部材とを備え、
前記ベースユニットは、一方向に並ぶ複数のベース部材を含み、
前記複数のベース部材のそれぞれは、隣接する他の前記ベース部材と連結するための連結構造を有していることを特徴とする配管カバー。
【請求項２】
前記連結構造は、前記一方向に突出した差込片と、前記一方向とは反対方向に開口した差込部とを含み、
前記複数のベース部材のうち互いに連結される一対の前記ベース部材において、一方の前記ベース部材の前記差込片が他方の前記ベース部材の前記差込部に嵌まるように構成されていることを特徴とする請求項１に記載の配管カバー。
【請求項３】
前記複数のベース部材のそれぞれに、スペーサー部が一体に成形されており、
前記スペーサー部は、前記設置面から離れる方向に突出するように構成されていることを特徴とする請求項１または２に記載の配管カバー。
【請求項４】
前記複数のベース部材のそれぞれに、前記配管を保持する保持具が設けられることを特徴とする請求項１乃至３のいずれか１項に記載の配管カバー。
【発明の詳細な説明】
【技術分野】
【０００１】
本発明は、配管カバーに関する。
【背景技術】
【０００２】
特許文献１には、配管カバーが記載されており、この配管カバーは、配管を壁に支持する配管支持部材と、配管支持部材に取り付けられて配管を覆うカバー体を備えている。
【０００３】
配管支持部材は、壁に取り付けられる長尺な取付板と、取付板に設けられて配管を支持する環状係合部とを備えている。
【先行技術文献】
【特許文献】
【０００４】
【特許文献１】特開２００７−３２７５６２号公報
【発明の概要】
【発明が解決しようとする課題】
【０００５】
特許文献１に記載の配管カバーは、施工の際に、設置面（壁）に取り付けられるベース（取付板）の長さが配管の長さに合わず、ベースの切断作業が必要となる場合があり、この分施工に手間がかかるといった問題や、切断によりロスが生じるといった問題がある。
【０００６】
上記事情を鑑みて、本発明の目的は、設置面に取り付けられるベースの長さの調整を簡単に行うことができる、配管カバーを提供すること、にある。
【課題を解決するための手段】
【０００７】
本発明に係る一態様の配管カバーは、設置面に沿って配される配管を覆う配管カバーであって、前記設置面に取り付けられるベースユニットと、前記配管を覆うように前記ベースユニットに取り付けられるカバー部材とを備える。
【０００８】
前記ベースユニットは、一方向に並ぶ複数のベース部材を含む。前記複数のベース部材のそれぞれは、隣接する他の前記ベース部材と連結するための連結構造を有している。
【発明の効果】
【０００９】
本発明に係る配管カバーは、設置面に取り付けられるベースの長さの調整を簡単に行うことができる。
【図面の簡単な説明】
【００１０】
【図１】図１Ａは、実施形態１の配管カバーを示す斜視図であり、図１Ｂは、同上の配管カバーを示す分解斜視図である。
【図２】図２は、同上の配管カバーの設置例を示す正面図である。
【図３】図３は、同上の配管カバーのベースユニットを示す斜視図である。
【図４】図４は、同上のベースユニットの１つの連結状態を示す斜視図である。
【図５】図５は、同上のベースユニットの他の連結状態を示す斜視図である。
【発明を実施するための形態】
【００１１】
本発明は、配管カバーに関し、より詳細には、設置面に取り付けられるベースユニットと、このベースユニットに取り付けられて配管を覆うカバー部材とを備える配管カバーに関する。
【００１２】
（実施形態１）
図１Ａ及び図１Ｂに示す実施形態１の配管カバー１は、設置面に沿って配される配管２を覆うカバーである。図２には、壁面１１のうち手洗い器１０の側方の部分に沿って配される配管２を配管カバー１で覆った設置例が示されている。以下では、壁面１１に対して配管カバー１が位置する方向を前方とし、その反対方向を後方とし、壁面１１に沿った水平方向を左右方向として、各構成について説明する。各図において、矢印Ｘで示す方向が前方であり、矢印Ｙで示す方向が右方であり、矢印Ｚで示す方向が上方である。
【００１３】
図２に示す設置例では、配管２は、手洗い器１０から左方に延びた排水横管２０と、排水横管２０の下流端（左端）に接続されたエルボ２１と、エルボ２１を介して排水横管２０に接続され、下方に延びた排水縦管２２を含む。図２には、排水横管２０とエルボ２１を覆うように水平に設けられた配管カバー１と、排水縦管２２を覆うように鉛直に設けられた配管カバー１が示されている。２つの配管カバー１は、互いに同様の構造である。以下では、水平に設けられた配管カバー１について詳しく説明する。
【００１４】
図１Ａ及び図１Ｂに示すように、配管カバー１は、設置面（壁面１１）に取り付けられるベースユニット３と、配管２を覆うようにベースユニット３に取り付けられるカバー部材４とを備える。ベースユニット３は、一方向に並ぶ複数のベース部材５を含む。
【００１５】
複数のベース部材５のそれぞれは、隣接する他のベース部材５と連結するための連結構造を有している。連結構造は、一方向（本実施形態では右方）に突出した差込片６と、前記一方向とは反対方向（本実施形態では左方）に開口した差込部７を含む。
【００１６】
差込片６と差込部７は、複数のベース部材５のうち互いに連結される一対のベース部材５において、一方のベース部材５の差込片６が他方のベース部材５の差込部７に嵌まるように構成されている。
【００１７】
複数のベース部材５は、互いに同一の形状及び大きさを有する。図３には、複数のベース部材５のうち互いに連結される一対のベース部材５が示されている。
【００１８】
ベース部材５は、略長方形の板状の本体部５０と、本体部５０の上端の長辺部と下端の長辺部のそれぞれから前方に突出した引っ掛け部５１とを有する。本体部５０の前面の右端部から、右方に向けて上下一対の差込片６が突出している。本体部５０の前面の左端部に、上下一対の差込部７が設けられている。
【００１９】
上下一対の差込片６のそれぞれは、長方形の板状であり、左右方向が長手方向であり、上下方向が短手方向であり、前後方向が厚み方向である。上下一対の差込片６は、上下方向に離れて位置し、互いに平行である。上下一対の差込片６のそれぞれは、板状の本体部５０に対して平行である。
【００２０】
上下一対の差込部７のそれぞれは、本体部５０の前面から突出した板状の上壁部７０と、本体部５０の前面から突出した板状の下壁部７１と、上壁部７０の前端部と下壁部７１の前端部との間に位置する板状の前壁部７２とで囲まれて形成される。
【００２１】
壁部７０，７１，７２は、本体部５０の左端から右側に若干離れて位置する。差込部７を囲む壁部７０，７１，７２の左右長さは、差込片６の左右長さよりも短い。差込部７は、左方と右方の両方に開口している。
【００２２】
一対のベース部材５は、一方のベース部材５の上下一対の差込片６が、他方のベース部材５の上下一対の差込部７に差し込まれることによって、連結される。一方のベース部材５の上下一対の差込片６は、他方のベース部材５の上下一対の差込部７内を左右方向にスライド自在である。
【００２３】
一対のベース部材５は、それぞれの本体部５０の側面同士が当たる第一連結状態（図１Ｂ参照）と、それぞれの本体部５０の間に隙間が形成される第二連結状態（図４参照）の、２つの連結状態で連結可能である。第一連結状態にあるときに、一方のベース部材５の各差込片６の基部側が、他方のベース部材５の各差込部７に嵌まり、第二連結状態にあるときに、一方のベース部材５の各差込片６の先端側が、他方のベース部材５の各差込部７に嵌まる。
【００２４】
一対のベース部材５は、その左右方向の全体の長さが、第一連結状態にあるときに最小となり、第二連結状態にあるときに、前記隙間の分だけ、第一連結状態にあるときよりも長くなる。第二連結状態にあるときの一対のベース部材５の左右方向の全体の長さは、差込片６が差込部７に嵌まる範囲内で、調整可能である。
【００２５】
本体部５０の前面には、スペーサー部８が一体に成形されている。スペーサー部８は、本実施形態では、直方体状であり、上下方向が長手方向であり、左右方向が短手方向であり、前後方向が厚み方向である。スペーサー部８は、本実施形態では、中実に設けられているが、中空に設けられてもよい。スペーサー部８は、設置面（壁面１１）から離れる方向に突出するように構成されている。
【００２６】
スペーサー部８は、差込部７に差し込まれた差込片６が接触しない位置に設けられており、本実施形態では、本体部５０の前面のうちの左右方向の中央部に位置している。スペーサー部８は、上下の引っ掛け部５１から離れて位置するように、その長さ及び配置が決められている。スペーサー部８の前面は、前壁部７２の前面よりも前方に位置している。
【００２７】
複数のベース部材５のそれぞれは、樹脂成型品である。複数のベース部材５は、同形状の成形型によって製造可能である。上下一対の引っ掛け部５１、上下一対の差込片６、上下一対の壁部７０，７１，７２、及びスペーサー部８は、本体部５０と一体に成形される。本実施形態では、複数のベース部材５のそれぞれは、上下対称に設けられている。
【００２８】
図１Ａ及び図１Ｂに示すように、ベース部材５のスペーサー部８には、配管２を保持する保持具９が設けられる。保持具９は、例えば、金属製である。保持具９は、スペーサー部８にねじ固定される矩形板状の固定部９０と、固定部９０の一端部に連続し、前方に突出した側面視略Ｕ字状の保持部９１とを有する。
【００２９】
スペーサー部８における固定部９０の固定位置及び固定角度は、適宜選択可能である。そのため、配管２は、図２に示すように、その長手方向が、ベースユニット３の長手方向に対して交差するように、保持可能である。
【００３０】
複数のベース部材５は、図１Ｂに示すように、互いに連結された状態において、それぞれの上側の引っ掛け部５１が、一直線状に並び、かつ、それぞれの下側の引っ掛け部５１が、一直線状に並ぶように設けられている。
【００３１】
カバー部材４は、本実施形態では、半角筒状である。カバー部材４は、矩形板状の前板部４０と、前板部４０の上端部から後方に突出した矩形板状の上板部４１と、前板部４０の下端部から後方に突出した矩形板状の下板部４２とを有する。上板部４１の後端部と、下板部４２の後端部にはそれぞれ、ベース部材５の上下の引っ掛け部５１に引っ掛かる引っ掛かり部４３が設けられている。これにより、カバー部材４は、複数のベース部材５に対して着脱自在である。
【００３２】
ベース部材５の引っ掛け部５１は、カバー部材４の引っ掛かり部４３が引っ掛かった状態で、カバー部材４によって覆い隠されるように設けられている。そのため、複数のベース部材５は、カバー部材４が取り付けられた状態で、カバー部材４によって覆い隠されて露出しない。
【００３３】
カバー部材４は、一方向に長尺な樹脂成型品であり、容易に切断可能である。カバー部材４は、例えば、押し出し成型で作製される。カバー部材４は、長手方向に亘って断面形状が一定である。そのため、カバー部材４は、切断により長さが調整されても、同様の機能を発揮することができる。カバー部材４は、本実施形態では、上下対称に設けられている。なお、カバー部材４は、半角筒状に限らず、半円筒状でもよいし、その他の形状の半筒状でもよい。
【００３４】
続いて、図２に示す配管カバー１の設置例の施工手順の一例について説明する。
【００３５】
まず、壁面１１のうち排水横管２０が配される部分に、排水横管２０の長さに対応した数の複数のベース部材５が連結された状態で、ねじ固定される。このとき、複数のベース部材５の全てまたはその一部が、壁面１１にねじ固定される。複数のベース部材５は、水平に一直線状に並ぶように、壁面１１に固定される。なお、壁面１１への複数のベース部材５の固定は、１つのベース部材５がねじ固定された後、このベース部材５に次のベース部材５が連結されてねじ固定され、これが繰り返されることによって行われてもよい。
【００３６】
次いで、排水横管２０が、下流側ほど下方に位置するように若干傾斜した姿勢（本実施形態では左肩下がりの姿勢）で、複数のベース部材５の前方に配される。次いで、複数のベース部材５のそれぞれのスペーサー部８に、保持具９が１つずつ取り付けられ、複数の保持具９によって排水横管２０が上記の傾斜姿勢で保持される。このとき、排水横管２０の姿勢に合わせて、各スペーサー部８に保持具９が、位置や角度が調整された状態で、取り付けられる。
【００３７】
次いで、壁面１１のうち排水縦管２２が配される部分に、排水縦管２２の長さに対応した数の複数のベース部材５が連結された状態で、ねじ固定される。このとき、複数のベース部材５の全てまたはその一部が、壁面１１にねじ固定される。複数のベース部材５は、鉛直に一直線状に並ぶように、壁面１１に固定される。なお、壁面１１への複数のベース部材５の固定は、１つのベース部材５がねじ固定された後、このベース部材５に次のベース部材５が連結されてねじ固定され、これが繰り返されることによって行われてもよい。
【００３８】
次いで、排水横管２０の下流端にエルボ２１を介して接続された排水縦管２２が、鉛直姿勢で、複数のベース部材５の前方に配される。次いで、複数のベース部材５のそれぞれのスペーサー部８に、保持具９が１つずつ取り付けられ、複数の保持具９によって排水縦管２２が鉛直姿勢で保持される。このとき、排水縦管２２の姿勢に合わせて、各スペーサー部８に保持具９が、同一の左右位置及び角度で、取り付けられる。
【００３９】
次いで、水平に並ぶ複数のベース部材５の長さに合うように、カバー部材４が切断されてその長さが調整される。このカバー部材４では、下板部４２の一部（左端部）も切断され、排水縦管２２を通すための孔が設けられる。また、鉛直に並ぶ複数のベース部材５の長さに合うように、別のベース部材５が切断されその長さが調整される。
【００４０】
次いで、水平に並ぶ複数のベース部材５のそれぞれの引っ掛け部５１に、カバー部材４の引っ掛かり部４３が引っ掛けられて、水平に並ぶ複数のベース部材５にカバー部材４が水平に取り付けられる。そして、鉛直に並ぶ複数のベース部材５のそれぞれの引っ掛け部５１に、カバー部材４の引っ掛かり部４３が引っ掛けられて、鉛直に並ぶ複数のベース部材５にカバー部材４が鉛直に取り付けられる。
【００４１】
これにより、排水横管２０及びエルボ２１の前方には、カバー部材４が水平に配され、排水縦管２２の前方には、カバー部材４が鉛直に配され、排水横管２０、エルボ２１、排水縦管２２、及び複数のベース部材５は、カバー部材４によって覆い隠される。
【００４２】
壁面１１への取り付けの際、複数のベース部材５は、図１Ｂに示す第一連結状態で連結されてもよいし、図４に示す第二連結状態で連結されてもよいし、また、その組み合わせで連結されてもよい。
【００４３】
以上説明した本実施形態の配管カバ−１は、壁面１１に取り付けられるベースを、複数のベース部材５を連結したベースユニット３で構成している。そのため、本実施形態の配管カバ−１は、連結するベース部材５の数を調整するだけで、様々な長さの配管２に、ベースユニット３の長さを簡単に合わせることができる。また、本実施形態の配管カバー１は、配管２の長さに合わせてベースユニット３を切断する施工を省略でき、切断によりベースユニット３のロスが生じることも防止できる。
【００４４】
また、本実施形態の配管カバー１は、複数のベース部材５を連結してベースユニット３を構成することで、各ベース部材５の上下一対の引っ掛け部５１のそれぞれを一直線状に位置させやすく、カバー部材４の取り付けがしやすい。なお、複数のベース部材５を距離をおいた状態で設置する場合には、各ベース部材５の上下一対の引っ掛け部５１のそれぞれが一直線状に位置するように、配置を調整しなければならず、設置に手間がかかる。
【００４５】
また、本実施形態の配管カバー１では、互いに連結される一対のベース部材５の連結構造を、一方向に突出する差込片６を差込部７に嵌める構造としている。これにより、本実施形態の配管カバー１では、差込片６の差込部７への差し込み長さに応じて、連結状態にある一対のベース部材５の全体の長さを適宜選択できる。そのため、本実施形態の配管カバー１では、ベースユニット３の長さの調整をさらに細かく行うことができる。しかも、本実施形態の配管カバー１では、連結状態にある一対のベース部材５間に形成される隙間を、カバー部材４によって覆い隠すことができる。
【００４６】
また、本実施形態の配管カバー１では、複数のベース部材５のそれぞれが、スペーサー部８を有し、各スペーサー部８に取り付けられる保持具９によって配管２が保持されるため、配管２を設置面から離れた位置に、長手方向に亘って安定的に保持することができる。
【００４７】
（変形例）
以上説明した実施形態１の配管カバー１は、下記の変形例を採用可能である。
【００４８】
ベースユニット３（複数のベース部材５）が取り付けられる設置面は、壁面１１に限らず、床面や天井面等でもよい。
【００４９】
複数のベース部材５は、長手方向の長さが互いに異なる複数種類のベース部材５で構成されてもよい。
【００５０】
複数のベース部材５は、一方向に並んで連結され、カバー部材４を取り付けることができるように構成されていればよく、連結構造として、差込片６と差込部７以外のその他の連結構造を有してもよい。連結構造は、例えば、スライド不可に連結（例えば固定）する構造であってもよい。
【００５１】
複数のベース部材５は、上下の引っ掛け部５１を有さないベース部材５を含んでもよい。
【００５２】
差込部７は、左方に開口し、右方には開口しなくてもよく、この場合、差込部７は差込片６が第一連結状態まで差し込み可能なように、左右方向に長く設けられる。
【００５３】
スペーサー部８は、ベース部材５に一体に成形されるのではなく、ベース部材５に後付けされてもよい。また、配管カバー１は、スペーサー部８を有さなくてもよい。
【００５４】
保持具９は、スペーサー部８に限らず、本体部５０のうちの、差込片６がスライド移動しない部分その他の部分に取り付けられてもよい。
【００５５】
配管カバー１は、配管２が他の構成で保持される場合には、保持具９を有さなくてもよい。
【００５６】
複数のベース部材５は、右端部に差込片６が位置する姿勢（図１Ａ参照）に限らず、図５に示すように、左端部に差込片６が位置する姿勢で利用されてもよい。ここで、複数のベース部材５は、上下対称に設けられているため、上記のどちらの姿勢でも、カバー部材４の取り付けが可能である。また、カバー部材４も、上下対称に設けられているため、上下逆の姿勢でも、複数のベース部材５への取り付けが可能である。
【００５７】
また、複数のベース部材５は、上端部に差込片６が位置する姿勢（図２参照）に限らず、下端部に差込片６が位置する姿勢で利用されてもよい。
【００５８】
また、複数のベース部材５は、互いに連結されないように距離をおいた状態で設置面（壁面１１）に一直線状に取り付けられてもよい。この場合でも、複数のベース部材５には、カバー部材４を取り付け可能である。
【００５９】
（効果）
以上述べた実施形態１及びその変更例のように、第１の態様の配管カバー（１）は、設置面に沿って配される配管（２）を覆う配管カバーである。配管カバー（１）は、設置面に取り付けられるベースユニット（３）と、配管（２）を覆うようにベースユニット（３）に取り付けられるカバー部材（４）とを備える。ベースユニット（３）は、一方向に並ぶ複数のベース部材（５）を含む。複数のベース部材（５）のそれぞれは、隣接する他のベース部材（５）と連結するための連結構造を有している。
【００６０】
第１の態様によれば、設置面に取り付けられるベースユニット（３）が、一方向に並び、かつ連結構造を有する複数のベース部材（５）を含むため、連結するベース部材（５）の数を適宜選択することができる。これにより、第１の態様によれば、配管（２）の長さに合わせて、設置面に取り付けられるベースユニット（３）の長さの調整を簡単に行うことができる。また、第１の態様では、ベースユニット（３）を切断する施工を省略でき、切断によりベースユニット（３）のロスが生じることも防止できる。
【００６１】
また、実施形態１のように、第２の態様の配管カバー（１）では、第１の態様において、下記の構成を付加的に備える。
【００６２】
すなわち、第２の態様の配管カバー（１）では、前記連結構造は、前記一方向に突出した差込片（６）と、前記一方向とは反対方向に開口した差込部（７）とを含む。複数のベース部材（５）のうち互いに連結される一対のベース部材（５）において、一方のベース部材（５）の差込片（６）が他方のベース部材（５）の差込部（７）に嵌まるように構成されている。
【００６３】
第２の態様によれば、一対のベース部材（５）の連結にあたって、一方のベース部材（５）の差込片（６）の、他方のベース部材（５）の差込部（７）への差し込み量の調整を行うことができる。これにより、第２の態様によれば、配管（２）の長さに合わせて、ベースユニット（３）の長さの調整がさらに細かく行うことができる。
【００６４】
また、実施形態１のように、第３の態様の配管カバー（１）では、第１または第２の態様において、下記の構成を付加的に備える。
【００６５】
すなわち、第３の態様の配管カバー（１）では、複数のベース部材（５）のそれぞれに、スペーサー部（８）が一体に成形されている。スペーサー部（８）は、前記設置面から離れる方向に突出するように構成されている。
【００６６】
第３の態様によれば、スペーサー部（８）に配管（２）を当てて設置することができ、これにより、配管（２）を設置面から離して設置することができる。加えて、第３の態様によれば、スペーサー部（８）はベース部材（５）に一体に成形されているため、別部材のスペーサーをベース部材（５）に取り付ける場合に比べて、施工の簡略化を図ることができる。
【００６７】
また、実施形態１のように、第４の態様の配管カバー（１）では、第１乃至第３のいずれかの態様において、下記の構成を付加的に備える。
【００６８】
すなわち、第４の態様の配管カバー（１）では、複数のベース部材（５）のそれぞれに、配管（２）を保持する保持具（９）が設けられる。
【００６９】
第４の態様によれば、設置面に取り付けられる複数のベース部材（５）のそれぞれに設けた保持具（９）によって、配管（２）を安定して保持することができる。
【００７０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００７１】
１      配管カバー
２      配管
３      ベースユニット
４      カバー部材
５      ベース部材
６      差込片
７      差込部
８      スペーサー部
９      保持具
【図１】
2017219140.tif 000003
【図２】
2017219140.tif 000004
【図３】
2017219140.tif 000005
【図４】
2017219140.tif 000006
【図５】
2017219140.tif 000007